Podtech/llm-jp-corpus-v4-ja_patent huggingface dataset:
(57)【要約】      （修正有）【課題】土木工事において、現地に乗入れする重機、大型車両等を、軟弱地盤、段差地盤の影響を受けずに、安全、簡単、大掛かりな段取りを必要せずに、段差を解消させる敷鉄板を提供する。【解決手段】土木工事用敷鉄板本体を、不等辺三角形と残りの敷鉄板に分割してから、元の１枚の敷鉄板に組み合わせて、対になるように両方に四角い穴を５箇所開け、鋼板を折り曲げＣ型鋼に作ったリングで繋ぐことで、繋いだ敷鉄板が自在に動く。【選択図】図２
0003166139.tif 000002
【実用新案登録請求の範囲】
【請求項１】
土木用敷鉄板規格品を不等辺三角形と残りの敷鉄板に切断した後、それぞれの鉄板に五箇所の穴を開け、リングで繋いで、段差地面に対して自在に接地できる様に加工した段差解消敷鉄板である。分割して不等辺三角形と残りの敷鉄板をリングで繋ぐことで、自在に角度を合わせることが出来る。この様に段差、傾斜、窪地、に合わせて自在を形成したことを、特徴とする段差解消敷鉄板。
【考案の詳細な説明】
【技術分野】
【０００１】  本考案は、土木工事用敷鉄版で、軟弱な敷地、傾斜地、窪地などに工事用重機、機械が乗入れが安定して出来る段差解消敷鉄板に関するものである。
【背景技術】
【０００２】土木工事で敷地内に大型重機、機械を乗入れ時、敷鉄板を使用するが、土地の傾斜があって安定しない為、敷鉄板を何枚も必要としていた。その為大型重機、機械の乗入れに時間を要していた。
【考案の概要】
【考案が解決しようとする課題】
【０００３】別敷鉄板は、工事現場の地盤の平坦な所が少ない為、規格品１５００＊３０００の敷鉄板では、重機、建設機械が敷地内に乗入するには、不安定で何枚もの工事用敷鉄板が必要であり、時間的、労働的、経費的負担である。従って、角度の自在な敷鉄板で段差解消が出来ることにより、工事の安全と経費負担を解決しょうとするものである。
【課題を解決するための手段】
【０００４】本考案は、敷鉄板を異型に２分割して、各敷鉄板に穴を５箇所開けて、リングで丁番の様に５箇所で繋いだ。これにより地盤の段差に、自在に角度を合わせることが可能になった。そして従来不安定であった乗入れ作業が簡単になり、どんな状況の作業にも使い廻しが利き、安全、時間、経費負担を解決している。
【考案の効果】
【０００５】上述の様に、本考案の段差解消敷鉄板を工事地盤の乗入れ口に敷くことで、大型の建設機械、重機の安全な工事を施工できる。大規模な敷地の中に段差が沢山あっても、何枚かの段差解消敷板が必要とされるだけで済む。従来の様な何十枚もの敷鉄板が必要で費用負担及び搬入手間、運搬車両、荷降ろし重機等の様々な段取りも解決でき、場所も必要せず役立つものである。
【図面の簡単な説明】
【０００６】
【図１】本考案の段差解消敷鉄板の実施例を示す正面図である。
【図２】本敷鉄板の一部切欠断面図である。
【図３】分割した敷鉄板を繋ぐリングである。
【考案を実施するための形態】
【０００７】規格の敷鉄板を不等辺三角形とその残りの敷鉄板に２分割し、各敷鉄板に穴を５箇所あける。その穴にリングを５箇所で繋いで自在にすることで、段差がそれぞれ違う場所に使用出来る。又、軟弱な地盤と頑強な岩盤地盤を繋ぐ場合にも数枚の段差解消敷鉄板で解消できる。其れにより、敷鉄板の在庫及び賃貸する枚数を少なく出来る。従来は何十枚の敷鉄板が必要であったことが解消され、その為の運搬車、作業時間、費用等が解消された。
【実施例】
【０００８】以下、添付図面に従って一実施例を説明する。図１は敷鉄板を分割した状態をリングで繋ぎ、自在になった段差解消敷鉄板本体の平面図、図２は分割された敷鉄板をリングで繋いだ一部切欠断面である。図３は分割した２枚の敷鉄板を、繋ぎ自在にする為のリングである。
【産業上の利用可能性】
【・・・・】
【符号の説明】
【０００９】１  段差解消敷鉄板本体  （２分割及びジョイント）平面図
２  敷鉄板一部切欠断面  （２分割及びジョイント）断面図
３  リング部            （ジョイント５箇所部分）立面図
【図１】
0003166139.tif 000003
【図２】
0003166139.tif 000004
【図３】
0003166139.tif 000005
【手続補正書】
【提出日】平成22年11月15日(2010.11.15)
【手続補正１】
【補正対象書類名】実用新案登録請求の範囲
【補正対象項目名】全文
【補正方法】変更
【補正の内容】
【実用新案登録請求の範囲】
【請求項１】
土木工事用敷鉄板本体を、不等辺三角形と残りの敷鉄板に分割してから、元の１枚の敷鉄板に組み合わせて、対になるように両方に四角い穴を５箇所開け、鋼板を折り曲げＣ型鋼に作ったリングで繋ぐことで、繋いだ敷鉄板が自在に動くところを特徴とする段差解消敷鉄板。
(57)【要約】      （修正有）【課題】法面に重量のある電動ウインチを持って降りる必要が無く、作業が安全になり、かつ作業能率が向上する防護柵設置用巻上げウインチを提供する。【解決手段】防護柵あるいはガードレールを電動ウインチ取り付けベースとして利用し、簡単に電動ウインチを防護柵等に取り付けられる取り付け金具を持った電動ウインチ。【選択図】図１
0003166137.tif 000002
【実用新案登録請求の範囲】
【請求項１】
盛土の法面に建てられている防雪柵に取り付けてある防雪板を折り畳んで収納したり、建て込んだりするのに、滑車を介してワイヤーで最上部の防雪板を吊り上げたり、吊り下げたりしてその下に連結してある一連の防雪板を上げ下げするが、そのためのワイヤー巻上げ用の電動ウインチを、道路の路肩にある歩行者用防護柵あるいはガードレールの上端にまたがるように嵌め込んで保持するために、防護柵の直径７〜１０ｃｍの横棒を抱き込める間隔を取った、幅１０ｃｍ程、長さ５０ｃｍ程の金属板を曲げて作った、高さ２０ｃｍ程の逆Ｕ字形の金具に、金属板でできた約２０ｃｍ角の基盤を直角に接合し、その基盤に電動ウインチが取り付けてあることを特徴とする防護柵設置用巻上げウインチ。
【考案の詳細な説明】
【技術分野】
【０００１】  降雪地帯における冬期間の交通安全確保のために設置する防雪柵の維持管理用部材に関する。
【背景技術】
【０００２】  防雪柵はシーズンが終われば防雪板を畳んで防雪柵の下部に収納するが、ワイヤーで防雪板を吊り上げて下に下ろす方法が取られる場合、電動ウインチでワイヤーを巻き上げる必要があった。【０００３】  防雪柵が盛土の法面に建てられている場合、重量のある電動ウインチを持って傾斜のある法面を降り、電動ウインチを防雪柵の支柱に取り付ける作業は足場の悪い法面ではなかなか困難であった。【０００４】  一方盛り土の法面に防雪柵が設置されているような場合、道路の路肩には防護柵あるいはガードレールなどが設置されている。
【考案の開示】
【考案が解決しようとする課題】
【０００５】  重量のある電動ウインチを法面の下まで持って降りずに、防雪板の吊り上げ収納作業を行いたい。
【課題を解決するための手段】
【０００６】  本考案は上記問題に鑑みてなされたものであり、防護柵あるいはガードレールを電動ウインチ取り付けベースとして利用し、簡単に電動ウインチを防護柵等に取り付けられる取付金具を持った電動ウインチを提供する。
【考案の効果】
【０００７】  本考案の電動ウインチ取り付け金具を使用して防護柵に電動ウインチをセットし防雪柵の建て込み、収納作業を行えば、法面に重量のある電動ウインチを持って降りる必要が無くなるので、作業は安全になり、かつ作業能率は向上する。
【考案を実施するための最良の形態】
【０００８】  防護柵あるいはガードレールの上端にまたがるように嵌め込んで保持する逆Ｕ字形の金具に巻上げウインチが取り付けてあり、簡単に取り外して場所を移動できる防護柵設置用巻上げウインチ
【実施例】
【０００９】  本考案の防護柵設置用巻上げウインチを図面に基づいて説明すると、図１に示すように防護柵の直径７〜１０ｃｍの横棒１にまたがるように嵌め込む、幅１０ｃｍ程、長さ５０ｃｍ程の金属板を曲げて作った、高さ２０ｃｍ程の逆Ｕ字形の嵌め込み金具２に金属板でできた約２０ｃｍ角の基盤３が接合してあり、それに電動巻上げウインチ４が取り付けてある。持ち運びやすいように取っ手５を取り付けておくと便利である。
【産業上の利用可能性】
【００１０】  防雪柵の建て込み、収納の作業が防雪板をワイヤーで吊り下げる方法の場合、巻き上げ用電動ウインチを防雪柵の所まで降ろす必要が無いので、作業の安全性を上げ、能率化を図ることができる。
【図面の簡単な説明】
【００１１】
【図１】防護柵設置用巻上げウインチを示す概念図
【符号の説明】
【００１５】１  防護柵の横棒
２  嵌め込み金具
３  基盤
４  電動巻上げウインチ
５  取っ手
【図１】
0003166137.tif 000003
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
ワイヤー巻き上げ用の電動ウインチを、道路の路肩にある歩行者用防護柵あるいはガードレールの上端にまたがるように嵌めこんで保持するために、防護柵の直径７〜１０ｃｍの横棒を抱き込める間隔を取った、幅１０ｃｍ程、長さ５０ｃｍ程の金属板を曲げて作った、高さ２０ｃｍ程の逆Ｕ字形の金具の幅中心位置に厚さ約６ｍｍ程度の金属板でできた約２０ｃｍ角の基盤端面が直角に接合し、その基盤の約２０ｃｍ角の中心位置に電動ウインチの巻取部分が取り付けてあることを特徴とする防護柵設置用巻き上げウインチ。
【手続補正２】
【補正対象書類名】明細書
【補正対象項目名】０００９
【補正方法】変更
【補正の内容】
【０００９】  本考案の防護柵設置用巻き上げウインチを図面に基づいて説明すると、図１に示すように防護柵の直径７〜１０ｃｍの横棒１にまたがるように嵌め込む、幅１０ｃｍ程、長さ５０ｃｍ程の金属板を曲げて作った、高さ２０ｃｍ程の逆Ｕ字形の嵌め込み金具２の幅中心位置に厚さ約６ｍｍ程度の金属板でできた約２０ｃｍ角の基盤３の端面が直角に接合してあり、その基盤３の約２０ｃｍ角の中心位置に電動巻き上げウインチ４の巻取部分が取り付けてある。持ち運びしやすいように取っ手５を取り付けておくと便利である。
(57)【要約】      （修正有）【課題】色の組合せと光量の調節を簡単に行うことが出来る装置を提供する。【解決手段】発光体の光路上に開口部を持つ遮光板を置き、その位置を変化させる。【選択図】図５
0003166138.tif 000002
【実用新案登録請求の範囲】
【請求項１】
光の三原色（赤、青、緑）の加色混合を演示する装置において三色の発光体の光路上に適切な開口部（例えば、円形又は三角形）を持った可動遮光板を配置し、遮光板開口部の位置を変化させることにより、三つの発光体の組合せや光量を変化させ任意の割合で三原色の強度を調節して混合させることにより殆ど全ての色を演示する装置。
【考案の詳細な説明】
【技術分野】
【０００１】三原色光の加色混合により殆どすべての色を合成する。
【背景技術】
【０００２】従来より実施されている光の三原色の混合は赤、緑、青各色の発生器自身の発光量を調節して混合する方法
【先行技術文献】
【０００３】三原色発光ダイオードによる色の合成  後藤富治  平成１７年度東レ理化学教育賞受賞作品集
ＬＥＤを利用した光の三原色実験セットの製作と授業実践  物理教育  第５５巻  第１号（２００７）
【考案の概要】
【考案が解決しようとする課題】
【０００４】三原色光の加色混合の実験装置は、各色の組合せや光量を調整する方法として、光源の電圧を調整する方法があるが、ＬＥＤを光源にした場合、電圧調整領域が狭いので光量の調整が限定される。又はフィルターの濃度を調整する方法があるが装置の簡略化に問題がある。
【課題を解決するための手段】
【０００５】赤、緑、青の三原色発光体を適切に配置し（例えば三角形）、その前に適切な形状の窓（例えば円形）を持った遮光板を置き、遮光板の窓の位置を移動させることにより、発光体の赤、緑、青の組合せや光量の調整を自由に行えるようにした。
【考案の効果】
【０００６】可動遮光板を使用することにより、光の三原色の組合せや混合比を調整する装置が簡略化できた。又、簡略化により製作原価が安価になると同時に子供達の光の三原色混合器の工作実験教材にも使えるようになった。
【図面の簡単な説明】
【０００７】
【図１】遮光板１の窓２を発光体３の三色（Ｒ，Ｇ，Ｂ）が等しく通過する場合で、光量が等しければ白色近くになる。
【図２】発光体３のＲ（赤）と発光体３のＧ（緑）が通過する場合で、光量が等しければ黄色になる。
【図３】発光体３のＲ（赤）と発光体３のＧ（緑）が通過する場合で、発光体３のＲ（赤）が遮光板１の窓２の位置を変えて、１／２近く遮光されているため、黄緑色になる。このように、三色（Ｒ，Ｇ．Ｂ）の発光体３の組合せや光量を自在にかえる。
【図４】側面図
【図５】上面図
【考案の実施形態】
【０００８】Ｒ，Ｇ，Ｂの位置にＬＥＤ発光体を設置し、遮光板を前後左右に動かすことにより遮光板の窓の位置を変化させて、Ｒ，Ｇ，Ｂの光の組合せと光量を変えることによって光拡散スクリーンに混合した光を映す。
【符号の説明】
【０００９】１、遮光板
0003166138.tif 000003
３、Ｒ、Ｇ、Ｂ、各色（赤、緑、青）発光体
４、光拡散スクリーン
５、スクリーン台
６、スクリーン基板
７、基板
【実施例】
【００１０】子供達に工作をかねて本三原色光混合器を作らせた後に、光の三原色混合の講義を行った。
【産業上の利用可能性】
【００１１】光の色の組合せや、光量調節か簡単に出来ることから室内照明や舞台照明の簡単な制御装置などに応用できる。
【図１】
0003166138.tif 000004
【図２】
0003166138.tif 000005
【図３】
0003166138.tif 000006
【図４】
0003166138.tif 000007
【図５】
0003166138.tif 000008
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
光の三原色の加色混合を演示する装置において、三色の発光体の光路上に、一つの開口部を持った可動遮光板を配置し、その位置を変化させることにより三つの発光体それぞれの光量を変化させて混合する装置。
(57)【要約】      （修正有）【課題】電気自動車のデザイン及び構造を大きく変更することなく搭載でき、効率のよい風力発電装置を提供する。【解決手段】電気自動車のボンネット内のフロントグリル付近にラインフロー型フィンを搭載した小型発電機を横に複数個並べ、走行中及び停車中に車体正面より受ける風力を利用し、発電を行う。【選択図】図２
0003166133.tif 000002
【実用新案登録請求の範囲】
【請求項１】
既設の電気自動車のボンネットのフロントグリル付近にラインフロー型フィンを搭載した小型発電機を横に複数個並べることにより、従来考案されているプロペラ型フィンを搭載する発電機よりも空間を有効に利用できることを特徴とする風力発電装置。
【請求項２】
走行中及び停車中に車体正面より受ける風力を有効利用し、発電を行うことを特徴とする風力発電装置。
【請求項３】
発電機に用いるフィンはラインフロー型とし、独立した発電機を複数個車幅許容範囲まで並べることにより、車体正面の形状、面積に関わらずに、車体正面から受ける風力を有効に利用できることを特徴とする風力発電装置。
【考案の詳細な説明】
【技術分野】
【０００１】  本考案は、電気自動車・風力発電に関する。
【背景技術】
【０００２】  近年、電気自動車の発展に伴い多数流通するようになってきたが、１回の充電で走行できる距離は、化石燃料を主とする既存の自動車が１回の燃料補給で走行できる距離と比較し大幅に少なく限られている。
【考案の概要】
【考案が解決しようとする課題】
【０００３】  しかしながら、従来考案されている電気自動車搭載用の風力発電システムはその形状、構造から大きく重く、また発電の為に走行エネルギーを大きく消費してしまう物であった。【０００４】  そこで本考案は、このような課題を解決するためになされたもので、既存の車のデザインや構造を大きく変更すること無く搭載でき、効率のよい発電システムの提供を目的とする。
【課題を解決するための手段】
【０００５】  発電用のフィンの形状をラインフロー型とすることで、発電の為に消費される走行エネルギーを少なくする。また小型の発電システムを横に複数個並べることにより、ボンネット内の空きスペースを有効に活用できる。また形状をラインフロー型とすることで、その中心部の有効活用されていない空間に小型発電機を収納することができ、より空間を有効に活用することができる。これらにより既存の風力発電装置より有効に発電し、補充電を行うことにより、１回の充電で走行できる距離を伸ばすこと特徴とする。
【考案の効果】
【０００６】  請求項１に記載のごとく、小型のラインフロー型フィンを搭載した小型発電機を横に複数個並べることにより、従来考案されているプロペラ型フィンを搭載した風力発電システムよりも空間を有効に利用することができる。【０００７】  請求項２に記載のごとく、走行中及び停車中に車体正面より受ける風力を有効利用することができる。【０００８】  請求項１及び請求項３に記載のごとく、発電システムに用いるフィンの形状をラインフロー型とすることにより、その中心部の有効活用されていない空間に発電機を収納できる。【０００９】  請求項３に記載のごとく、ラインフロー型を横に複数個並べることにより、従来考案されているプロペラ型フィンを搭載した風力発電システムに比べ、より柔軟に風の流れを制御でき、受風口の形状や面積にとらわれず空間を有効に活用できる。
【図面の簡単な説明】
【００１０】
【図１】車載状態の上面透視図
【図２】車載状態の側面透視図
【図３】車載状態の正面図
【図４】本装置単体の側面図
【図５】本装置単体の斜視図
【図６】本装置を連結した状態図
【考案を実施するための形態】
【００１１】  以下、本発明を具体化した最良の形態について、添付図面を参照しつつ詳細に説明するが、本発明は下記例に限定されるものではない。図１及び図２は，ボンネットのフロントグリル付近に本装置を取り付けた事例の上面図及び側面図である。符号１０の風導入口より走行時、及び停車時の風を取り入れ、符号１１の風吐き出し口より風を排出する。
【００１２】  図３は車体正面から見た風導入口の様子で、既存のデザインを大きく変更する必要の無いことを示す図である。
【００１３】  図４及び図５は、本装置単体の側面図及び斜視図で、符号２のハウジングは車幅に合せ横に複数個連結できる構造であり、符号１のフィン及び符号３の小型発電機で構成されている。また材質については、軽量で強度が高いものであれば実現可能で、材質を限定するものではない。
【００１４】  図６は単体の装置を複数個横並びに連結した様子を示す図で、それぞれの符合１のフィン、符号３の小型発電機は、独立に回転、動作、発電することができる。この連結した本装置の符号２のハウジングを車体に固定する。
【符号の説明】
【００１５】１  フィン
２  ハウジング
３  発電機
１０  風導入口
１１  風吐き出し口
【図１】
0003166133.tif 000003
【図２】
0003166133.tif 000004
【図３】
0003166133.tif 000005
【図４】
0003166133.tif 000006
【図５】
0003166133.tif 000007
【図６】
0003166133.tif 000008
【手続補正書】
【提出日】平成22年10月29日(2010.10.29)
【手続補正１】
【補正対象書類名】実用新案登録請求の範囲
【補正対象項目名】全文
【補正方法】変更
【補正の内容】
【実用新案登録請求の範囲】
【請求項１】
電気自動車のボンネット内のフロントグリル付近にラインフロー型フィンを搭載した小型発電機を横に複数個並べることを特徴とする風力発電装置。
【請求項２】
走行中及び停車中に車体正面より受ける風力を利用し、発電を行うことを特徴とする請求項１記載の風力発電装置。
【請求項３】
発電機に用いるフィンはラインフロー型とし、独立した発電機を複数個ボンネットの内幅まで横に並べることにより、車体正面の形状、面積に関わらずに、車体正面から受ける風力を利用できることを特徴とする請求項１記載の風力発電装置。
(57)【要約】      （修正有）【課題】本体に衣類の落下防止具を取付けた物干ハンガーを提供する。【解決手段】物干しハンガー本体１に衣類を挟む為の、約１３センチメートルの落下防止具２を取付け固定することにより、衣類の落下を防ぎ、従来使っていた別の洗濯バサミを使ったり片付けたりの手間も殆ど省け、挟む事によって衣類に付いていた挟み跡を付ける事なく干す事が出来る。【選択図】図１
0003166153.tif 000002
【実用新案登録請求の範囲】
【請求項１】
物干しハンガー本体の肩部分の片側に、全長約１３センチメートルのバネ式の衣類落下防止具を取付け固定する。
【考案の詳細な説明】
【技術分野】
【０００１】
本考案は、物干しハンガー本体の肩の部分の、どちらか片側に落下防止具を取り付けた物干しハンガーに関するものである。
【背景技術】
【０００２】
洗濯物を干す時、ハンガーにかけた衣類の落下を防ぐため、別の洗濯バサミを使って挟んでいた。
【考案の概要】
【考案が解決しようとする課題】
【０００３】
従来、衣類をハンガーに干す場合は落下を防ぐため別に洗濯バサミを用意しなければならず、また、挟んだ跡が衣類に残り挟み跡を取るのも面倒であった。
【課題を解決するための手段】
【０００４】
本考案は、ハンガー本体に従来の洗濯バサミのバネ式の機能を取付け、簡単に衣類の落下を防ぐ方法として、ハンガー本体の肩の部分左右どちらか片側に、落下防止具を取り付け固定し、一体化することにより従来の洗濯バサミを使う必要も殆どなく、ハンガーに掛けた衣類の肩の部分を上から押さえる事により挟み跡も残さず、従来の欠点を解消できる。
【考案の効果】
【０００５】
上述のように、本考案の落下防止具を取付ける事により洗濯物を干す手間が省ける事は勿論、衣類に挟み跡を残さず衣類も傷めない。  
【図面の簡単な説明】
【０００６】
【図１】本考案の落下防止付き物干しハンガーの考案図である。
【図２】落下防止具を上げ衣類を掛けて落下防止具で押さえる前の状態を図にしたものである。
【考案を実施するための形態】
【０００７】
従来のハンガー本体に、衣類の落下防止具を取り付ける。機能はバネ式で、落下防止具の全長はハンガーの肩の部分の約７割とする。取付け位置は落下防止具の先端がハンガー本体の端に近い位置が望ましい。落下防止具を長くするのは、衣類の襟の開きに大、小があり、どちらでも対応出来るようにするためである。落下防止具の先端のハンガーと接地する部分はハンガー本体の形状に合わせ噛み合うようにする。
【実施例】
【０００８】
添付の図面で実施例を説明する。１はプラスチック等耐久性のある適宜素材で２の落下防止具も同じ素材とする。ハンガー本体の端７から落下防止具の先端３までは約２センチメートルで、落下防止具の３から４は約１３センチメートルとする。ハンガー本体との取付け位置は３から約１０センチメートルの位置５でバネ８にピンに通し固定する。図２のように落下防止具を４を押さえて上げ衣類を掛けハンガーと同じ形状にした３から６の約２センチメートルで肩の部分を押さえる。
【符号の説明】
【０００９】
１  ハンガー本体
２  落下防止具
３  落下防止具の先端
４  落下防止具の末端
５  取付け位置とピン
６  噛み合わせ部の端
７ ハンガー本体の端
８  バネ
【図１】
0003166153.tif 000003
【図２】
0003166153.tif 000004
【手続補正書】
【提出日】平成22年12月9日(2010.12.9)
【手続補正１】
【補正対象書類名】実用新案登録請求の範囲
【補正対象項目名】全文
【補正方法】変更
【補正の内容】
【実用新案登録請求の範囲】
【請求項１】
衣類を保持する物干しハンガー本体と、その物干しハンガー本体の肩部に設けたバネ式衣類落下防止具を設け、肩部と落下防防止具で衣類を挟み洗濯バサミのように衣類の一部を挟持してなることを特徴とする落下防止付き物干しハンガー。
(57)【要約】      （修正有）【課題】洗剤を使用しない床洗浄で、汚れの除去と光沢の復元を行うフロアパッドを提供する。【解決手段】不織布のフロアパッドに研磨剤を高密度（表面積の４０％以上）で定着させる為、高粘度のバインダーに研磨剤を混ぜ、それを刷毛等で塗ることで、表面に高い密度で研磨剤を定着させる。不織布以外（例えば繊維質）のものを使用することで表面積の１００％に近い密度で研磨剤を定着させる。【選択図】図１
0003166151.tif 000002
【実用新案登録請求の範囲】
【請求項１】
床面を洗浄や研磨するフロアパッド１であって、従来の不織布または繊維質等のフロアパッドに研磨剤を表面積の４０％以上研磨剤を定着させることを特徴とするフロアパッド。
【考案の詳細な説明】
【技術分野】
【０００１】表面積の４０％以上研磨剤を定着させたフロアパッドで、洗剤を使用しない床洗浄で、汚れの除去と光沢の復元を行うフロアパッドに関するものである。
【背景技術】
【０００２】従来のフロアパッドは研磨剤を吹き付けている為、研磨剤の量が少なく、床面の研磨が均等に行えなかった。
また不織布以外の素材に研磨剤を定着させれば高い密度で研磨剤を定着させることができるが、そういったフロアパッドは今までなかった。
【考案の開示】
【考案が解決しようとする課題】
【０００３】不織布や繊維質等の素材に高密度（表面積に対して４０％以上）で定着させることで、床面の均等な研磨を行い、汚れの除去と光沢の復元を行うこと。
【課題を解決するための手段】
【０００４】不織布のフロアパッドに研磨剤を高密度（表面積の４０％以上）で定着させる為、高粘度のバインダーに研磨剤を混ぜ、それを刷毛等で塗ることで、表面に高い密度で研磨剤を定着させる。
不織布以外（例えば繊維質）のものを使用することで表面積の１００％に近い密度で研磨剤を定着させる。
【考案の効果】
【０００５】均等かつ高密度な研磨剤の定着により、床面を水洗浄するだけで汚れの除去と光沢の復元を行うことができ、洗剤を使用しない為、環境への配慮はもちろん、作業スピードの向上によるコストダウン、作業のミスを防止することが可能となる。
またワックスが塗布されている床面では、少ないワックス塗布回数でこれまでの光沢を維持したり、洗浄後のバフィング作業でも同等の光沢を維持できることから、同じく環境負荷の軽減とコストダウンが可能となる。
【考案を実施するための最良の形態】
【０００６】不織布または繊維質等のフロアパッド１の全面に研磨剤２をバインダーを使って塗布したもので、塗布量を表面積の４０％以上に塗布したフロアパッド
【図面の簡単な説明】
【０００９】
【図１】繊維質フロアパッドの外観図
【図２】不織布フロアパッドの外観図
【符号の説明】
【００１０】１  フロアパッド
２  研磨剤
【図１】
0003166151.tif 000003
【図２】
0003166151.tif 000004
(57)【要約】      （修正有）【課題】食品保存袋の内面を洗浄する場合、隅々の洗浄が容易な食品保存袋を提供する。【解決手段】食品保存袋の底部の端部（２隅あるいは４隅）の形状を九くすることにより食品保存袋の内面を洗浄する場合、隅々の洗浄が容易になる。１は食品保存袋の本体、２は本体の上部に装着される保存袋開閉のためのジッパー、３は本体の底部の端部である。食品保存袋を複数回使用する場合内面を洗浄して使用するが、本体を裏返す際、端部が丸い形状であるため端部も容易に裏返り隅々の洗浄が容易となる。【選択図】図１
0003166159.tif 000002
【実用新案登録請求の範囲】
【請求項１】
底部の端部（２隅あるいは４隅）の形状を丸くした食品保存袋。
【考案の詳細な説明】
【技術分野】
【０００１】この考案は食品保存袋の底部の端部（２隅あるいは４隅）を丸くした、食品保存袋に関するものである。
【背景技術】
【０００２】従来、食品保存袋の底部の端部（２隅あるいは４隅）の形状は角張っている。
【先行技術文献】
【特許文献】
【０００３】なし
【非特許文献】
【０００４】なし
【考案の概要】
【考案が解決しようとする課題】
【０００５】食品保存袋の底部の端部（２隅あるいは４隅）の形状は角張っており、内面を洗浄する場合隅々の洗浄が困難である。従って、端部（２隅あるいは４隅）の形状を変えることにより洗浄が容易になり前述の点を解決しようとするものである。
【課題を解決するための手段】
【０００６】この考案は食品保存袋の底部の端部（２隅あるいは４隅）の形状を丸くすることにより食品保存袋の内面を洗浄する場合、隅々の洗浄が容易になり問題点を解決している。
【考案の効果】
【０００７】上述のように食品保存袋の底部の端部（２隅あるいは４隅）の形状を丸くしたので、食品保存袋の内面を洗浄する場合、隅々まで容易に洗浄できる。
【図面の簡単な説明】
【０００８】
【図１】襠なしの食品保存袋の底部の端部（２隅）を示した平面図である。
【図２】襠付きの食品保存袋の底部の端部（４隅）を示した斜視図である。
【実施例】
【０００９】以下、添付図面に従って説明する。１は食品保存袋の本体、２は本体の上部に装着される保存袋開閉のためのジッパー、３は本体の底部の端部である。食品保存袋を複数回使用する場合内面を洗浄して使用するが、本体を裏返す際、端部が丸い形状であるため端部も容易に裏返り隅々の洗浄が容易となる。
【符号の説明】
【００１０】１  食品保存袋本体２  ジッパー３  底部の端部
【図１】
0003166159.tif 000003
【図２】
0003166159.tif 000004
(57)【要約】      （修正有）【課題】自動販売機に設けた商品見本装着台に、商品見本を容易かつ安定した状態で設置できる商品見本保持具を提供する。【解決手段】商品見本保持具１１は、透視可能で軟質性の合成樹脂からなり、商品見本の下部周面にならった形状の周壁１２と、この周壁１２の下端から直角方向に水平に延設した固定面たる底面１３とを備え、底面１３の下面には、商品見本装着台に接着固定するための接着部たる両面接着テープ１４を、下面の周縁に沿って設けてなる。【選択図】図１
0003166112.tif 000002
【実用新案登録請求の範囲】
【請求項１】
透視可能な合成樹脂からなり、商品見本の下部周面にならった形状の周壁と、この周壁の下端から直角方向に延設した固定面とを備え、前記固定面の下面には、商品見本装着台に接着固定するための接着部を設けたことを特徴とする自動販売機用商品見本保持具。
【考案の詳細な説明】
【技術分野】
【０００１】
本考案は、自動販売機において商品購入者が視認可能な位置に設けた商品見本装着台に商品見本を設置するための商品見本保持具に関する。
【背景技術】
【０００２】
従来の自動販売機における商品見本装着台としては、近年、商品見本の展示効果を上げるために、内部に照明器具を配置した構成のものが一般的になっており、商品見本を設置する面に照明用透孔を兼ねる商品見本装着孔を設けている。一方、商品見本としては、商品形状に倣った合成樹脂製の筒状のものと、商品の前面側半分を模した半割状のものとがあるが、いずれの形状の商品見本も、前記装着孔への取り付けは、商品見本底部に設けた嵌合突部の係合溝を、前記装着孔の縁部に係合するものである（特許文献１）。
【先行技術文献】
【特許文献】
【０００３】
【特許文献１】特開２００１−２２９４４４号公報
【考案の概要】
【考案が解決しようとする課題】
【０００４】
したがって、従来における商品見本の商品見本装着孔への取り付けは煩雑であるとともに、取り付け状態が不安定であるという不都合を有している。本考案は、この不都合を解消した商品見本保持具を提供することを目的とする。
【課題を解決するための手段】
【０００５】
この目的を達成するため、本考案に係る商品見本保持具は、透視可能で、好ましくは軟質性の合成樹脂からなり、商品見本の下部周面にならった形状の周壁と、この周壁の下端から直角方向に延設した固定面とを備え、前記固定面の下面には、商品見本装着台に接着固定するための接着部を設けたものである。
【考案の効果】
【０００６】
本考案に係る商品見本保持具によれば、固定面の下面に設けた接着部によって商品見本装着台に接着固定した状態で、周壁と固定面で形成される空間に商品見本の下部を挿入して、商品見本を保持することができるので、商品見本の商品見本装着台への設置は容易であるとともに、設置状態も安定するという効果を奏する。
【図面の簡単な説明】
【０００７】
【図１】商品見本保持具の斜視図。
【図２】同じく底面図。
【図３】商品見本を商品見本保持具を介して商品見本装着台に設置した状態の部分断面図。
【考案を実施するための形態】
【０００８】
以下、本考案の好適な実施形態を添付図面に基づいて説明する。はじめに、商品見本装着台について説明する。図３に示すように、商品見本装着台３１は、自動販売機（図示せず）内の商品見本展示部（図示せず）に配置して固定するもので、この商品見本装着台３１は、ほぼ水平に延びる装着板３２と、装着板３２の後端からほぼ垂直に上昇する背面板３３と、装着板３２の前端からほぼ垂直に下降する前面板３４とからなる。
【０００９】
そして、装着板３２には、内部に配置した照明器具４１の光を通過させる照明用透孔を兼ねる複数の商品見本装着孔３５を設けている（図７参照）。なお、この商品見本装着孔３５は、商品見本展示部に対応する商品見本装着台３１の長さ及び自動販売機で販売する商品の種類数に応じて、その数が決定されるもので、従来は、商品見本を取り付ける機能が主たるものであった。しかし、本考案においては、照明用透孔として機能するのみであり、商品見本を取り付ける装着孔としての機能は有していない。
【００１０】
次に、商品見本装着台３１に商品見本保持具を介して設置する商品見本について、図３に基づき説明する。商品見本２１は、実際に自動販売機で販売される飲料容器の内容物が存在しない、空の飲料容器を使用しており、いわゆるボトル状である。
【００１１】
続いて、商品見本保持具について、図１〜図３に基づいて説明する。図１及び図２に示すように、商品見本保持具１１は、透視可能で軟質性の合成樹脂からなり、商品見本２１の下部の周面形状にならって、これよりも一回り大きい円筒形状の周壁１２と、この周壁１２の下端から内側に向けて直角方向に水平に延設した固定面である底面１３とを備えている。また、前記底面１３の下面周縁に沿って、商品見本装着台３１の装着板３２に接着固定するための接着部たる両面接着テープ１４を設けている。
【００１２】
図３に示すように、商品見本保持具１１は、両面接着テープ１４の剥離紙１４ａを剥離して接着剤塗布面を露出させ、この接着剤塗布面において、接着板３２の商品見本装着孔３５に対応する位置に接着固定することができる。
【００１３】
この商品見本保持具１１を接着板３２に接着固定した状態で、商品見本２１の下部を、周壁１２と底面１３で形成される空間に挿入すれば、商品見本２１を容易に安定した状態で保持することができる。また、商標見本２１の取出しや、他の商標見本への交換も容易である。
【００１４】
なお、本考案は上述の実施形態に限定されるものではなく、例えば、商品見本２１は、実際に販売する飲料容器を利用するほか、透視可能な合成樹脂を成形してなるボトル状の中空成形商品容器であってもよい。この場合は実際に販売する飲料容器のデザインにならった図柄や文字を表示する。また、固定面は底面１３のように全面的に存在する必要はなく、例えば中央部には存在しない環状であってもよいし、周壁１２の外側に向けて直角方向に延びるものでもよい。さらに、接着部も両面接着テープ１４に限らず、接着剤を直接底面１３に塗布して、これを剥離紙で被覆したものでもよい。またさらに、接着部の形状も種々変更可能である。
【符号の説明】
【００１５】
１１      商品見本保持具
１２      周壁
１３      底面
１４      両面接着テープ
１４ａ      剥離紙
２１      商品見本
３１      商品見本装着台
３２      接着板
３３      背面板
３４      前面板
３５      商品見本装着孔
４１      証明器具
【図１】
0003166112.tif 000003
【図２】
0003166112.tif 000004
【図３】
0003166112.tif 000005
(57)【要約】      （修正有）【課題】便器と便座とのすき間から尿もれすることを防止する便座を提供する。【解決方法】前方のクッション３に挟まれる弧の長さより短く、クッション３より高く、巾が狭い尿もれガードを便座に接着する。【選択図】図２
0003166128.tif 000002
【実用新案登録請求の範囲】
【請求項１】
男子の尿が外にもれ出ることのない便座にする。
【考案の詳細な説明】
【技術分野】
【０００１】本考案は、男子が便座に座って放尿の際、便器と便座の前方のすき間から尿もれによりパンツ・ズボンをぬらすことがあることの防止に関するものである。
【背景技術】
【０００２】従来は便器と便座の前方にすき間があった。
【考案の概要】
【考案が解決しようとする課題】
【０００３】男子が立ち小便の際、便器等を汚すことから、いやがられ、近年、男子の小便も便座に座って行う事が増加傾向にあるが、放尿時に便器と便座の前方のすき間から尿が外にもれ出て、パンツやズボンを汚すことの問題があった。本考案は、これらの問題点を、解決する為になされたものである。
【課題を解決するための手段】
【０００４】便座の前面の内側を便器と便座のすき間から尿が外に、もれ出ないように、ガードを下に少し延ばす。（図面符号２）
【考案の効果】
【０００５】便器と便座のすき間が放尿時にガードされて、尿が便器の外にもれ出る事が無くなる。
【図面の簡単な説明】
【０００６】
【図１】すき間をカットする便座の側面図である。
【図２】すき間をカットする便座の裏面図である。
【符号の説明】
【０００７】１  便座
２  尿もれガード
３  クッション
【図１】
0003166128.tif 000003
【図２】
0003166128.tif 000004
【手続補正書】
【提出日】平成22年6月29日(2010.6.29)
【手続補正１】
【補正対象書類名】実用新案登録請求の範囲
【補正対象項目名】全文
【補正方法】変更
【補正の内容】
【実用新案登録請求の範囲】
【請求項１】
前方クッション（３）に挟まれた、うち円の長さより短かくてクッション（３）の高さより高くした巾の、尿もれ防止便座用品（２）。
【請求項２】
便座を納めても請求項１の用品が便器に当たらない程度に、うち円に沿って便座に接着した尿もれ防止便座用品。
【手続補正３】
【補正対象書類名】明細書
【補正対象項目名】０００６
【補正方法】変更
【補正の内容】
【０００６】
【図１】すき間をカットする便座の側面図である。
【図２】すき間をカットする便座の裏面図である。
【図３】すきまをカットする便座用品の立体図。
【手続補正４】
【補正対象書類名】図面
【補正対象項目名】図３
【補正方法】追加
【補正の内容】
【図３】
0003166128.tif 000005
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
前方クッション（３）に挟まれた、弧の長さより短かくて、クッション（３）より少し高くした狭い巾の、尿もれガードを接着した便座用品（２）。
【請求項２】
便座を納めても請求項１の用品が便器に当たらない程度の位置に、弧に沿って便座に接着した尿もれガード便座用品（２）。
【手続補正２】
【補正対象書類名】明細書
【補正対象項目名】０００７
【補正方法】変更
【補正の内容】
【０００７】１  便座
２  接着した尿もれガード
３  クッション
【手続補正書】
【提出日】平成22年11月22日(2010.11.22)
【手続補正１】
【補正対象書類名】実用新案登録請求の範囲
【補正対象項目名】全文
【補正方法】変更
【補正の内容】
【実用新案登録請求の範囲】
【請求項１】
前方クッション（３）に挟まれた、弧の長さより短くて、クッション（３）より少し高くした狭い巾の、尿もれガードを接着した便座。
【請求項２】
便座を納めても尿もれガードが便器に当たらない程度の位置に、弧に沿って便座に尿もれガードを接着した請求項１に記載の尿もれガードを接着した便座。
(57)【要約】      （修正有）【課題】もも、ひざ、すね、足先の運動を補助して静脈血栓症を予防する器具を提供する。【解決手段】盤１の中央に球形の突起２を設け、盤３に球形の突起を嵌める穴４を設けて、盤に足を乗せて任意の方向に踏むことで、足の運動を促し流れの悪くなった足の血行の回復を助ける。両足を盤の上に載せて任意の方向に踏むことで座った儘で、もも、ひざ、など足の運動ができ、足の運動不足による静脈血栓を予防する効果にもなる。【選択図】図１
0003166187.tif 000002
【実用新案登録請求の範囲】
【請求項１】
中央部に球形の突起を設けた第１の盤と前記の球形の突起を嵌める穴を設けた、第２の盤よりなる運動具。
【考案の詳細な説明】
【技術分野】
【０００１】本条案は、航空機や列車などで、長い時間座った儘で動かすことの少ない足を盤の上に載せて任意の方向に踏むことで、もも、しざ、すね、足先の運動を補助して静脈血栓症を予防する器具に関するものである。
【背景技術】
【０００２】従来より、航空時や列車などで長い時間狭い場所に座っていなければならず、健康をきずかって、突然激しく揺れる乗り物の中で危険を承知で歩き回る以外にはなかった。
【考案の開示】
【考案が解決しようとする課題】
【０００３】本考案が上記課題を解決するために提供する運動器具にある。
【問題が解決する手段】
【０００４】本考案は、中央部に球形の突起を設けた第１の盤と、前記球形の突起を嵌める穴を設けた第２の盤とよりなる運動器具。
【考案の効果】
本考案は、両足を盤の上に載せて任意の方向に踏むことで座った儘で、もも、ひざ、など足の運動が出き足の運動不足による静脈血栓を予防する効果にもなる。
【考案を実施するための最良の形態】以下、本考案の実施例を図１、２によって説明すると。
図１，２において（１）は、中央部に球形の突起（２）を設けた第１の盤である。（３）は上記突起（２）を嵌める穴（４）を設けた台座（５）を有する第２の盤である。
第１、第２、の盤（１）（３）は、合成樹脂、金属、、木材等でも作ることができる。
【図面の簡単な説明】
【図１】本考案の実施例の斜視面図
【図２】本考案の実施例の側面図
【符号の説明】１、第１の盤
２、球形に設けた突起
３、球形の突起を嵌める穴を設けた第２の盤
４、球形が嵌まる穴
５、台座
【図１】
0003166187.tif 000003
【図２】
0003166187.tif 000004
(57)【要約】      （修正有）【課題】日常携帯しなければならない必需品と化した携帯電話と、元々携帯を要した手鏡を一体化して、携帯すべき物品を減らすことができるように、携帯電話機のディスプレイの画面に手鏡の機能を持たせた携帯電話機を提供する。【解決手段】携帯電話機の機能の他にディスプレイの画面を鏡に変える回路をあらかじめ携帯電話機の中に組み込んで置き、所定の操作を行うとディスプレイの画面が鏡に変る機能を備えて携帯電話機を構成する。【選択図】図２
0003166182.tif 000002
【実用新案登録請求の範囲】
【請求項１】
携帯電話機の機能の他にディスプレイの画面を鏡に変える回路をあらかじめ携帯電話機の中に組み込んで置き、所定の操作を行うとディスプレイの画面が鏡に変る機能を備えた携帯電話機。
【考案の詳細な説明】
【考案の概要】
所定の操作をすることによって携帯電話機のディスプレイの画面が鏡に変わる回路が組み込まれている携帯電話機。
【考案が解決しようとする課題】
【０００１】近年著しく普及した携帯電話機最早、生活必需品に等しいしかし、日常携帯しなければならない物品が一つ増えたことには間違いはない、日常の携帯品は１つでも少くないほうがよい。
【課題を解決するための手段】
【０００２】携帯電話機のディスプレイの画面に手鏡の機能も加える。
【考案の効果】
【０００３】本考案に基づいて作られた携帯電話機を所持すれば、別に手鏡を携帯する必要がなくなる、加えて電車の中等では周りの人に気付かれずに手鏡を使用できる。
【図面の簡単な説明】
【図１】既存の携帯電話機の使用時のディスプレイの画面の図
【図２】本考案の携帯電話機のディスプレイの画面が鏡に変わったときの図
【図１】
0003166182.tif 000003
【図２】
0003166182.tif 000004
(57)【要約】      （修正有）【課題】魚の口内奥深く刺さった釣針や口内近くに刺さった釣針を、一器具によってその目的を果たす事の出来る釣針はずし具を提供する。【解決手段】器具本体を分離・結合出来る構造・形状とした部材に、引抜き具４、押抜き具５、及び調節具６の其々の部材を取付け、開口部７を設ける事により一器具のみで、全ての針掛状態の釣針を外す事が可能となる。また、引抜き具４を対象魚（針）に合わせ数種の大きさの同部材を製作し、ネジ穴９に交換取り付け可能とすることもできる。【選択図】図２
0003166186.tif 000002
【実用新案登録請求の範囲】
【請求項１】
器具本体は、本体上部と本体下部からなり分離・結合出来る構造とし、本体上部にＹ字型の細長いボルト押抜き具と、回転させる事により押抜き具の位置を自在に調節する為のナット調節具から構成され、押抜き具先端Ｙ字部の回転防止と誘導の為の誘導溝を形成するとともに、抜けた釣針を再び魚口内に掛かる事を防止する為中央付近より先端まで開口部を設け、本体下部には本体上部より突出した押抜き具調節具を収納・固定する為の形成部を有し、またその下部にはネジ穴を設け、湾曲形状で先尖り状にした魚運搬具兼用の引抜き具を交換取付け出来る構造とし、本器使用時の安全対策として、本体上部に円形・傘型の安全突起部を、引抜き具の先端部分は筒状の安全カバーを着脱可能部材とする構造・形状を特徴とする釣針はずし具。
【考案の詳細な説明】
【技術分野】
【０００１】  本考案は、魚釣りにおいて魚に掛かった釣針を外す為の器具に関するものである。
【考案の概要】
【考案が解決しようとする課題】
【０００２】１．従来の釣針はずしは、魚の口内奥深く刺さった釣針や口内近くに刺さった釣針を、一器具によってその目的を果たす事の出来る道具は無かった。
２．比較的小型の魚から大型の魚までの広範囲な魚に使用出来る釣針はずしは無かった。イカリ針の様な数本の釣針が固着されている釣針を外す道具は無かった。
３．デザイン的にも美しい釣針はずしはあったが、使用に熟練しないとその効果を発揮できない物もあり、特に疑似餌となるベイト等が装着されている釣針には使用する事が出来なかった。
４．多くの釣針はずしの欠点である、外した釣針が再度魚の口内に掛かる問題があった。
５．釣り人によっては魚に触れる事を嫌がり、また触れると危険な魚もあり、釣針は外せても魚に触れずに運搬する事の出来る釣針はずしは無かった。
６．釣針を外すための目的を重視する為、複雑な構造を有し制作に費用を要する物が多かった。
７．従来の針はずしは、ほとんどの製品で安全に対する思慮が欠けていた。
【問題を解決するための手段】
【０００３】１．課題１の解決手段として、器具本体（１）を分離・結合出来る構造・形状とした部材に、引抜き具（４）押抜き具（５）及び調節具（６）の其々の部材を取付け、開口部（７）を設ける事により一器具のみで、全ての針掛状態の釣針を外す事が可能となり解決出来る。
２．課題２、３の解決手段として
ア  引抜き具（４）を対象魚（針）に合わせ数種の大きさの同部材を製作し、ネジ穴（９）に交換取り付け可能とする。
イ  本体上部（２）の内部に押抜き具（５）調節具（６）を取付け構成し、調節具を回転させる事により自在に釣針の大きさに応じ対応させ、押抜き具先端Ｙ字部の回転防止・誘導する為の誘導溝（８）を設ける。
ウ  本体下部（３）の内部に押抜き具（５）の後半部を収納し、調節具（６）を固定出来る形成部を設ける。
エ  引抜き具（４）押抜き具（５）をいずれも釣針のフトコロ部にあてがう事の出来る形状とする事により解決出来る。
３．課題４の解決手段として、本体上部（２）に開口部（７）を設ける事で抜けた釣針の先は、開口部（７）内に収納され再び魚口内に刺さる事がなくなり解決出来る。
４．課題５の解決手段として、引抜き具（４）を湾曲形状とし運搬具兼用とするため、先端部を先尖り状にし魚に引掛けて運搬する事で解決出来る
５．課題６の解決手段として、単純安価な部材の使用及び製作しやすい形状と構造により、製作にかかる費用を大幅に削減する事が出来る。
６．課題７の解決手段として、本器具使用時の安全対策として、釣針の押抜き動作時、魚の鋭利な歯・口周辺の危険部位から手指を保護する為の円形・傘型の安全突起部を本体上部に引抜き具の尖った部分による損傷を防止する為、引抜き具先端部に筒状の安全カバーを着脱可能部材として別に製作する事により解決出来る。
【考案の効果】
【０００４】１．単一器具にする事により、全ての針掛状況でも釣針を外す事が出来、運搬も可能となった事で利便性が向上した。
２．構造・形状・部材等が比較的容易に製作出来るため、その費用の大幅な削減に努める事が出来た。
３．使用又は器具本体の運搬時、安全部材を装着する事により、手指等の損傷及び衣服等の破損を防止する事が出来、使用運搬時の安心感が増大した。
【図面の簡単な説明】
【０００５】
【図１】本考案の正面図。
【図２】本考案の断面図。
【図３】本考案の安全対策部材の斜視図
【符号の説明】
【０００６】  １  器具本体
２  本体上部
３  本体下部
４  引抜き具
５  押抜き具
６  調節具
７  開口部
８  誘導溝
９  ネジ穴
１０  安全突起部
１１  安全カバー
【図１】
0003166186.tif 000003
【図２】
0003166186.tif 000004
【図３】
0003166186.tif 000005
(57)【要約】      （修正有）【課題】筋肉を付けるのが目的ではなく、あまり力量がなくても運動用具として使え、尚且つ、金属とかプラスチック等硬い素材を使用しないで  安全面に考慮したエキスパンダーを提供する。【解決手段】伸縮する本体ａ部分の素材を５〜８ｃｍ位の幅のサポーター用布、または生ゴムバンドにして伸縮度の強弱で種類別にすると、年齢・力量に応じて素材を選び、ストレッチ運動をすることができる。長さは４０〜５０ｃｍの肩幅位にして、その両端に持ち手ｂを付ける。その持ち手ｂは、本体ａと同じ幅の伸縮しない布で輪を作り、本体ａに縫合固定ｃするとき輪をひねり、本体の端を表側・裏側から挟むように縫合する。挟むことによって持ち手の接合強度を持たせ、また輪をひねることによって手首や足を通しやすく、また抜けにくくすることができるソフト素材による健康エキスパンダーを形成する。【選択図】図１
0003166183.tif 000002
【実用新案登録請求の範囲】
【請求項１】
トレーニング用のエキスパンダーで、５〜８ｃｍ位の幅で、４０〜５０ｃｍ位の長さのサポーター用布や生ゴムバンドを用い、素材の伸縮度の強弱による使い分けで引っ張る力量によるランク分けをつけ、本体と同じ幅で手首や足先を通しても皮膚を傷つけない柔らかさと長さをもった布を、伸縮する本体の両端の表側と裏側から挟み、手首が通せるよう輪にして接着縫合固定し、その両端の輪に手首を通し握って両サイドに引っ張ることにより多様なストレッチ運動ができる、柔らかい素材で形成されたことを特徴とするソフトエキスパンダー。
【請求項２】
トレーニング用のエキスパンダーで、伸縮する本体に取り付ける持ち手を、本体と同じ幅で伸縮性のない布にて輪を作りひねって、本体の両端のそれぞれに表側・裏側から挟んで接着縫合固定して取り付けることを特徴とする  請求項１記載のソフトエキスパンダー。
【考案の詳細な説明】
【技術分野】
【０００１】本考案は、金属やプラスチックのような硬い素材を使用しないで、柔らかい素材だけで形成し使用時の事故を回避する、特に女性や年配者・高齢者向けのストレッチ運動用具である。
【背景技術】
【０００２】従来のエキスパンダーは、筋肉を鍛えるため  また筋肉を付けるために強力な伸縮性を持たせているが、女性や年配者・高齢者のストレッチ運動には少し不向きであった。
【先行技術文献】
【特許文献】
【０００３】
【特許文献１】２００６−３２５６３４号
【特許文献２】実案３０９４８２２号
【考案の概要】
【考案が解決しようとする課題】
【０００４】女性がダイエットのために、また年配者が健康のためにストレッチ運動をする時、運動用具があると気軽に取り掛かることができる。室内の小スペースででき、尚且つ、あらゆる部分の筋肉を動かすことができれば健康にもよい。また高齢者はイスに座ったままでストレッチ運動ができれば、機能低下を防ぐうえ機能回復も望める。生涯健康であるために、手軽に安全に運動ができるよう考案したものである。
【課題を解決するための手段】
【０００５】本考案は、女性や年配者・高齢者が手軽にストレッチ運動ができる道具としてエキスパンダーに着眼し、筋肉を付けるのが目的ではなく、あまり力量がなくても運動用具として使え、尚且つ、金属とかプラスチック等硬い素材を使用しないで  安全面に考慮したエキスパンダーを考案した。まず、伸縮する本体部分の素材を５〜８ｃｍ位の幅のサポーター用布、または生ゴムバンドにして伸縮度の強弱で種類別にすると、年齢・力量に応じて素材を選び、ストレッチ運動をすることができる。長さは４０〜５０ｃｍの肩幅位にして、その両端に持ち手を付ける。その持ち手は、本体と同じ幅の伸縮しない布で輪を作り、本体に縫合固定するとき輪をひねり、本体の端を表側・裏側から挟むように縫合する。挟むことによって持ち手の接合強度を持たせ、また輪をひねることによって手首や足を通しやすく、また抜けにくくすることができる。よって両サイドに引っ張る多様なストレッチ運動が可能になる、ソフト素材による健康エキスパンダーである。
【考案の効果】
【０００６】本考案は、エキスパンダーの伸縮する本体の材質・伸縮度を選ぶことにより、若い女性から高齢者までいろんな力量の人がストレッチ運動を楽しむことができるうえ、持ち手を布にすることにより肌に馴染み抵抗なく手にすることができる。尚且つ、工夫次第で多様なストレッチ運動ができる、健康増進に役立つエキスパンダーである。
【図面の簡単な説明】
【０００７】
【図１】１、エキスパンダー  表側図  ２、エキスパンダー  裏側図  ３、エキスパンダー  断面図  ４、エキスパンダー  使用図
【考案を実施するための形態】
【０００８】本考案の特徴は、持ち手の付け方にある。図１のように、伸縮する部分の本体と同じ幅で、伸縮しない布を輪にして本体に縫合固定するとき、ひねることにより通した手首や足先が抜けにくくなる。よって持ち手を縫合固定するときは左右対称にすることが望ましく、それによって違和感なく手首を通せるようになる。
【実施例】
【０００９】ソフト素材のエキスパンダーなので、持ち手に手首を通し両サイドに引っ張り腕の伸縮運動をしても抵抗がなく、両足首に通して両サイドに開く運動・後ろ手に持ち開く運動等、工夫次第で多様な運動ができる。
【図面の符号の説明】
【００１０】ａ    伸縮する本体
ｂ    持ち手
ｃ    本体と持ち手を接着縫合固定する部分
【図１】
0003166183.tif 000003